(57)【要約】  例えば、携帯電話にインストールされているアプリケーションに、通知イベントの発生を通知するための通知データを対応付けるべく、携帯電話にインストールされているアプリケーションを容易に把握できる技術が望まれる。そこで、通信機器にインストールされている複数のアプリケーションの各アプリ識別情報を通信機器から受信する識別情報受信部と、識別情報受信部が受信したアプリ識別情報を格納する識別情報格納部と、通信機器にインストールされている、特定のアプリケーションからの要求に応じて、識別情報格納部に格納されているアプリ識別情報を通信機器に送信する識別情報送信部とを備える識別情報管理装置を提供する。
2017085818.tif 000002
【特許請求の範囲】
【請求項１】
通信機器にインストールされている複数のアプリケーションの各アプリ識別情報を前記通信機器から受信する識別情報受信部と、
前記識別情報受信部が受信した前記アプリ識別情報を格納する識別情報格納部と、
前記通信機器にインストールされている、特定のアプリケーションからの要求に応じて、前記識別情報格納部に格納されている前記アプリ識別情報を前記通信機器に送信する識別情報送信部と
を備える識別情報管理装置。
【請求項２】
前記識別情報受信部は、通知イベントが発生した前記アプリケーションの前記アプリ識別情報を前記通信機器から受信する、請求項１に記載の識別情報管理装置。
【請求項３】
通知イベントの発生を通知するための通知データを格納する通知データ格納部と、
前記アプリ識別情報と前記通知データとを対応付ける対応付け情報を格納する対応付け情報格納部と、
前記識別情報受信部が前記アプリ識別情報を受信した場合に、前記アプリ識別情報に対応する前記通知データを出力する通知データ出力部と
を備える、請求項２に記載の識別情報管理装置。
【請求項４】
前記特定のアプリケーションは、前記アプリ識別情報と前記通知データとを対応付ける対応付けアプリケーションである、請求項３に記載の識別情報管理装置。
【請求項５】
前記対応付け情報格納部は、前記対応付けアプリケーションによって生成された前記アプリ識別情報と前記通知データとを対応付ける前記対応付け情報を、前記通信機器から受信して格納する、請求項４に記載の識別情報管理装置。
【請求項６】
前記通知データは、アイコンデータ、画像データ、テキストデータおよび音データの少なくともいずれかである、請求項３から５のいずれか一項に記載の識別情報管理装置。
【請求項７】
前記識別情報管理装置は表示装置である、請求項１から６のいずれか一項に記載の識別情報管理装置。
【請求項８】
前記通信機器はｉＯＳを有する携帯端末であり、
前記識別情報受信部は、ＡＮＣＳ（Ａｐｐｌｅ  Ｎｏｔｉｆｉｃａｔｉｏｎ  Ｃｅｎｔｅｒ  Ｓｅｒｖｉｃｅ）を利用して、前記通信機器から前記アプリ識別情報を受信する、請求項１から７のいずれか一項に記載の識別情報管理装置。
【請求項９】
コンピュータを、請求項１から８のいずれか一項に記載の識別情報管理装置として機能させるためのプログラム。
【請求項１０】
請求項１から８のいずれか一項に記載の識別情報管理装置と、
前記通信機器と
を備えるシステム。
【請求項１１】
コンピュータを、
前記コンピュータが他のコンピュータに送信した前記コンピュータにインストールされているアプリケーションのアプリ識別情報を、前記他のコンピュータから受信する識別情報受信部、
通知イベントの発生を通知するための通知データを格納する通知データ格納部、
前記識別情報受信部が受信した前記アプリ識別情報と、前記通知データ格納部が格納している前記通知データとを表示する表示制御部、
前記表示制御部によって表示された前記アプリ識別情報および前記通知データに対する指示に基づいて、前記アプリ識別情報と前記通知データとを対応付ける対応付け情報を生成する対応付け情報生成部、および
前記対応付け情報生成部によって生成された前記対応付け情報を前記他のコンピュータに送信する対応付け情報送信部
として機能させるためのプログラム。
【発明の詳細な説明】
【技術分野】
【０００１】
本発明は、識別情報管理装置、システムおよびプログラムに関する。
【背景技術】
【０００２】
ＨＤＭＩ（登録商標）ポートに接続されている携帯電話において電話の着信およびメールの受信等の通知イベントが発生した場合に、それを通知するデータを表示装置に表示させるための制御部を備える映像表示装置が知られていた。（例えば、特許文献１参照）。
［先行技術文献］
［特許文献］
［特許文献１］特開２０１３−０２１４４２公報
【発明の概要】
【発明が解決しようとする課題】
【０００３】
例えば、携帯電話にインストールされているアプリケーションに、通知イベントの発生を通知するための通知データを対応付けるべく、携帯電話にインストールされているアプリケーションを容易に把握できる技術が望まれる。
【課題を解決するための手段】
【０００４】
本発明の第１の態様によれば、識別情報管理装置が提供される。識別情報管理装置は、通信機器にインストールされている複数のアプリケーションの各アプリ識別情報を通信機器から受信する識別情報受信部を備えてよい。識別情報管理装置は、識別情報受信部が受信したアプリ識別情報を格納する識別情報格納部を備えてよい。識別情報管理装置は、通信機器にインストールされている、特定のアプリケーションからの要求に応じて、識別情報格納部に格納されているアプリ識別情報を通信機器に送信する識別情報送信部を備えてよい。【０００５】
上記識別情報受信部は、通知イベントが発生した上記アプリケーションの上記アプリ識別情報を上記通信機器から受信してよい。上記識別情報管理装置は、通知イベントの発生を通知するための通知データを格納する通知データ格納部と、上記アプリ識別情報と上記通知データとを対応付ける対応付け情報を格納する対応付け情報格納部と、上記識別情報受信部が上記アプリ識別情報を受信した場合に、上記アプリ識別情報に対応する上記通知データを出力する通知データ出力部とを備えてよい。上記特定のアプリケーションは、上記アプリ識別情報と上記通知データとを対応付ける対応付けアプリケーションであってよい。上記対応付け情報格納部は、上記対応付けアプリケーションによって生成された上記アプリ識別情報と上記通知データとを対応付ける上記対応付け情報を、上記通信機器から受信して格納してよい。【０００６】
上記通知データは、アイコンデータ、画像データ、テキストデータおよび音データの少なくともいずれかであってよい。上記識別情報管理装置は表示装置であってよい。上記通信機器はｉＯＳを有する携帯端末であってよく、上記識別情報受信部は、ＡＮＣＳ（Ａｐｐｌｅ  Ｎｏｔｉｆｉｃａｔｉｏｎ  Ｃｅｎｔｅｒ  Ｓｅｒｖｉｃｅ）を利用して、上記通信機器から上記アプリ識別情報を受信してよい。【０００７】
本発明の第２の態様によれば、コンピュータを、上記識別情報管理装置として機能させるためのプログラムが提供される。【０００８】
本発明の第３の態様によれば、上記識別情報管理装置と、上記通信機器とを備えるシステムが提供される。【０００９】
本発明の第４の態様によれば、コンピュータを、コンピュータが他のコンピュータに送信したコンピュータにインストールされているアプリケーションのアプリ識別情報を、他のコンピュータから受信する識別情報受信部として機能させるプログラムが提供される。プログラムは、コンピュータを、通知イベントの発生を通知するための通知データを格納する通知データ格納部として機能させてよい。プログラムは、コンピュータを、識別情報受信部が受信したアプリ識別情報と、通知データ格納部が格納している通知データとを表示する表示制御部として機能させてよい。プログラムは、コンピュータを、表示制御部によって表示されたアプリ識別情報および通知データに対する指示に基づいて、アプリ識別情報と通知データとを対応付ける対応付け情報を生成する対応付け情報生成部として機能させてよい。プログラムは、コンピュータを、対応付け情報生成部によって生成された対応付け情報を他のコンピュータに送信する対応付け情報送信部として機能させてよい。【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】システム１０の一例を概略的に示す。
【図２】携帯端末２００における表示例を概略的に示す。
【図３】システム１０の処理の流れの一例を概略的に示す。
【図４】表示装置１００の機能構成の一例を概略的に示す。
【図５】表示装置１００の実装例であるモニタ３００の構成を概略的に示す。
【図６】表示装置１００による処理の流れの一例を概略的に示す。
【図７】携帯端末２００の機能構成の一例を概略的に示す。
【発明を実施するための形態】
【００１２】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１３】
図１は、システム１０の一例を概略的に示す。システム１０は、表示装置１００および携帯端末２００を備える。表示装置１００は識別情報管理装置の一例であってよい。携帯端末２００は、通信機器の一例であってよい。
【００１４】
本実施形態に係る表示装置１００は、無線通信接続を確立した携帯端末２００において、電話の着信、メールの着信、ＳＮＳ（Ｓｏｃｉａｌ  Ｎｅｔｗｏｒｋ  Ｓｅｒｖｉｃｅ）からの着信、およびゲームのメッセージ着信など、各種アプリケーションでイベントが発生したときに、イベントに対応する、アイコン１８０等のイベントの発生を通知するための通知データを出力して、イベントの発生を表示装置１００の使用者に通知する。
【００１５】
表示装置１００は、予め格納されたデフォルトのアイコン（標準アイコンと呼ぶ場合がある。）を有してよい。そして、表示装置１００は、無線通信接続を確立した携帯端末２００から、イベントが発生したアプリケーションのアプリ識別情報を受信した場合に、標準アイコンを表示してよい。
【００１６】
アプリ識別情報は、アプリケーションを識別することができればどのような情報であってもよい。例えば、アプリ識別情報はアプリケーションのパッケージ名である。
【００１７】
表示装置１００は、複数の標準アイコンを格納してよい。また、表示装置１００は、アプリ識別情報と標準アイコンとを対応付ける対応付け情報を格納してよい。表示装置１００は、複数の携帯端末２００毎に対応付け情報を格納してよい。表示装置１００は、携帯端末２００の携帯端末識別情報を関連付けて対応付け情報を格納してよい。そして、表示装置１００は、無線通信接続を確立した携帯端末２００からアプリ識別情報を受信したときに、当該携帯端末２００の携帯端末識別情報が関連付けられた対応付け情報を参照して、受信したアプリ識別情報に対応する標準アイコンを特定し、表示してよい。
【００１８】
複数のアプリ識別情報が、同一の標準アイコンに対応付けられてよい。例えば、複数のＳＮＳアプリのアプリ識別情報の複数の組み合わせが、ＳＮＳを表す一の標準アイコンに対応付けられる。
【００１９】
携帯端末識別情報は、携帯端末２００を識別することができればどのような情報であってもよい。例えば、携帯端末識別情報はＢＬＥ通信接続のペアリング情報である。また、携帯端末識別情報は、Ｂｌｕｅｔｏｏｔｈ（登録商標）通信接続のペアリング情報、電話番号、個体識別情報、端末識別番号、およびＭＡＣ（Ｍｅｄｉａ  Ａｃｃｅｓｓ  Ｃｏｎｔｒｏｌ  ａｄｄｒｅｓｓ）番号などであってもよい。
【００２０】
また、表示装置１００は、携帯端末２００を用いてストアサーバ３０から購入されたアイコン（特別アイコンと呼ぶ場合がある。）を有してよい。表示装置１００は、例えば、ＢＬＥ通信接続を介して携帯端末２００から複数の特別アイコンを受信して格納する。また、表示装置１００は、アプリ識別情報と特別アイコンとを対応付ける対応付け情報を格納してよい。表示装置１００は、携帯端末識別情報を関連付けて対応付け情報を格納してよい。そして、表示装置１００は、無線通信接続を確立した携帯端末２００からアプリ識別情報を受信したときに、当該携帯端末２００の携帯端末識別情報が関連付けられた対応付け情報を参照して、受信したアプリ識別情報に対応する特別アイコンを特定し、表示してよい。
【００２１】
複数のアプリ識別情報が、同一の特別アイコンに対応付けられてよい。例えば、複数のＳＮＳアプリのアプリ識別情報が、ＳＮＳを表す一の特別アイコンに対応付けて格納される。
【００２２】
表示装置１００は、携帯端末２００からアプリ識別情報を受信した場合に、当該携帯端末２００の携帯端末識別情報に関連付けられた対応付け情報を参照し、特別アイコンが対応付けられている場合には、当該特別アイコンを表示する。また、表示装置１００は、特別アイコンが対応付けられておらず、標準アイコンが対応付けられている場合、当該標準アイコンを表示する。すなわち、表示装置１００は、標準アイコンよりも特別アイコンを優先的に表示してよい。
【００２３】
携帯端末２００は、無線基地局５０およびネットワーク２０を介して、アイコンを販売するストアサーバ３０にアクセスしてよい。携帯端末２００と無線基地局５０とは、任意の通信方式を用いて無線通信してよい。例えば、携帯端末２００と無線基地局５０とは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）およびＰＤＣ（Ｐｅｒｓｏｎａｌ  Ｄｉｇｉｔａｌ  Ｃｅｌｌｕｌａｒ）等の２Ｇ（２ｎｄ  Ｇｅｎｅｒａｔｉｏｎ）通信方式、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）およびＣＤＭＡ２０００（Ｃｏｄｅ  Ｄｉｖｉｓｉｏｎ  Ｍｕｌｔｉｐｌｅ  Ａｃｃｅｓｓ  ２０００）等の３Ｇ（３ｒｄ  Ｇｅｎｅｒａｔｉｏｎ）通信方式、ＬＴＥ（Ｌｏｎｇ  Ｔｅｒｍ  Ｅｖｏｌｕｔｉｏｎ）等の３．９Ｇ通信方式、Ａｄｖａｎｃｅｄ  ＬＴＥ等の４Ｇ通信方式、および４Ｇ通信方式以降の通信方式を用いて無線通信する。ネットワーク２０は、インターネットおよび電話網を含んでよい。なお、携帯端末２００は、Ｗｉ−Ｆｉ（登録商標）（Ｗｉｒｅｌｅｓｓ  Ｆｉｄｅｌｉｔｙ）のアクセスポイントおよびネットワーク２０を介してストアサーバ３０にアクセスしてもよい。
【００２４】
携帯端末２００は、ストアサーバ３０との間でアイコンの購入手続が完了した後、クラウドサーバ４０からアイコンを受信してよい。表示装置１００は、携帯端末２００がクラウドサーバ４０から受信したアイコンを携帯端末２００から受信してよい。また、表示装置１００は、携帯端末２００によってストアサーバ３０との間でアイコンの購入手続きが完了した後、クラウドサーバ４０からアイコンを受信してもよい。
【００２５】
アプリ識別情報と標準アイコンとを対応付ける対応付け情報と、アプリ識別情報と特別アイコンとを対応付ける対応付け情報とは、一体であっても別々であってもよい。表示装置１００は、対応付け情報を携帯端末２００から受信して格納してよい。
【００２６】
携帯端末２００は、携帯端末２００にインストールされているアプリケーションのアプリ識別情報の一覧と、アイコンの一覧とをディスプレイ２０２に表示させて、使用者等によるアプリ識別情報とアイコンとを対応付ける指示に基づいて、対応付け情報を生成する。そして、携帯端末２００は、生成した対応付け情報を表示装置１００に送信する。
【００２７】
図２は、携帯端末２００における表示例を概略的に示す。携帯端末２００は、アプリ識別情報２０４と、アプリ識別情報２０４に対応付けられているアイコン２０６とを表示してよい。また、携帯端末２００は、アプリ識別情報２０４が選択された場合に、アイコンの一覧２０８を表示してよい。図２は、「ＳＮＳ」のアプリ識別情報２０４が選択されて、アイコンの一覧２０８が表示されている状態を例示する。
【００２８】
携帯端末２００の使用者は、アイコンの一覧２０８の中から、「ＳＮＳ」に対応付けることを希望するアイコンを選択する。携帯端末２００は、当該選択に基づいて、「ＳＮＳ」のアプリ識別情報と選択されたアイコンとを対応付ける。
【００２９】
ここで、携帯端末２００がＡｎｄｒｏｉｄ（登録商標）端末である場合、Ａｎｄｒｏｉｄ（登録商標）端末はインストールされているアプリケーションの一覧を取得できるインタフェースを有するので、アプリ識別情報２０４の一覧を容易に表示させることができる。一方、携帯端末２００がｉＯＳ端末である場合、ｉＯＳはインストールされているアプリケーションの一覧を取得できるようなインタフェースを有さず、ルート権限を取得するなどの特殊な手法によらなければアプリケーションの一覧を取得できないので、アプリ識別情報２０４の一覧を容易に表示させることができない。
【００３０】
そこで、本実施形態に係る携帯端末２００は、携帯端末２００にインストールされているアプリケーションのアプリ識別情報を、表示装置１００から受信してよい。表示装置１００は、携帯端末２００から受信したアプリ識別情報を受信する。表示装置１００は、ＡＮＣＳ（Ａｐｐｌｅ  Ｎｏｔｉｆｉｃａｔｉｏｎ  Ｃｅｎｔｅｒ  Ｓｅｒｖｉｃｅ）を利用して、携帯端末２００からアプリ識別情報を受信してよい。そして、表示装置１００は、受信したアプリ識別情報を格納しておき、携帯端末２００からの要求に応じて、格納していたアプリ識別情報を携帯端末２００に送信してよい。
【００３１】
図３は、システム１０の処理の流れの一例を概略的に示す。図３は、表示装置１００と携帯端末２００との無線通信接続が確立している状態を開始状態として説明する。
【００３２】
ステップ（ステップをＳと省略して記載する場合がある。）２０２では、携帯端末２００が、通知イベントが発生したアプリケーションのアプリ識別情報を表示装置１００に送信する。Ｓ２０４では、表示装置１００がＳ２０２で受信したアプリ識別情報を格納して、標準アイコンを表示する。ここでは、アプリ識別情報の送信と、標準アイコンの表示とが複数回実行されたものとして、説明を続ける。
【００３３】
Ｓ２０６では、携帯端末２００が、ストアサーバ３０との間でアイコンの購入手続が完了した状態で、クラウドサーバ４０に対してアイコンの取得要求を送信する。Ｓ２０８では、クラウドサーバ４０が、Ｓ２０６で受信した取得要求に応じて、特別アイコンを携帯端末２００に送信する。
【００３４】
Ｓ２１０では、携帯端末２００が、アプリ識別情報を要求するアプリ識別情報要求を表示装置１００に送信する。Ｓ２１２では、表示装置１００が、Ｓ２１０で受信したアプリ識別情報要求に応じて、携帯端末２００から受信して格納しているアプリ識別情報を携帯端末２００に送信する。
【００３５】
Ｓ２１４では、携帯端末２００が、アプリ識別情報と特別アイコンとの対応付けを実行する。Ｓ２１６では、携帯端末２００が、生成した対応付け情報と特別アイコンとを表示装置１００に送信する。
【００３６】
Ｓ２１８では、携帯端末２００が、通知イベントが発生したアプリケーションのアプリ識別情報を表示装置１００に送信する。Ｓ２２０では、表示装置１００が、Ｓ２１６で受信した対応付け情報を参照して、Ｓ２１８で受信したアプリ識別情報に対応する特別アイコンを表示する。
【００３７】
表示装置１００が上述した処理を実行することにより、インストールされているアプリケーションの一覧を容易に取得することができないｉＯＳ端末等のような携帯端末２００に対して、アプリケーションの一覧を提供することができる。
【００３８】
図４は、表示装置１００の機能構成の一例を概略的に示す。表示装置１００は、表示制御装置１０２、表示部１６０および音声出力部１６２を備える。表示制御装置１０２は、アイコン格納部１１０、通信接続確立部１２２、通信部１３０、アプリ識別情報格納部１３６、対応付け情報格納部１４６、出力制御部１５０、動作データ格納部１５２およびアイコン書換部１５４を備える。なお、表示制御装置１０２がこれらのすべての構成を有することは必須とは限らない。表示制御装置１０２は、識別情報管理装置の一例であってよい。
【００３９】
アイコン格納部１１０は、標準アイコンおよび特別アイコンを格納する。本実施形態において、アイコン格納部１１０は、第１アイコン格納部１１２、第２アイコン格納部１１４、および第３アイコン格納部１１６を含む。
【００４０】
第１アイコン格納部１１２は標準アイコンを格納する。第１アイコン格納部１１２が格納する標準アイコンを第１アイコンと呼ぶ場合がある。第１アイコン格納部１１２は、複数の標準アイコンを格納してよい。第１アイコン格納部１１２は、例えば５つの標準アイコンを格納する。第１アイコン格納部１１２に格納されているデータは書き換え不可であってよい。
【００４１】
第２アイコン格納部１１４および第３アイコン格納部１１６は特別アイコンを格納する。第２アイコン格納部１１４が格納する特別アイコンを第２アイコンと呼ぶ場合がある。第３アイコン格納部１１６が格納する特別アイコンを第３アイコンと呼ぶ場合がある。第２アイコン格納部１１４は、複数の特別アイコンを格納してよい。第２アイコン格納部１１４は、例えば５つの特別アイコンを格納する。第３アイコン格納部１１６は、複数の特別アイコンを格納してよい。第３アイコン格納部１１６は、例えば５つの特別アイコンを格納する。
【００４２】
第２アイコン格納部１１４および第３アイコン格納部１１６の両方が特別アイコンを格納している場合、アイコン格納部１１０は、いずれか一方が格納している特別アイコンを有効な特別アイコンとして管理してよい。アイコン格納部１１０は、第２アイコンおよび第３アイコンのうちの後に格納された方を有効な特別アイコンとして管理してよい。アイコン格納部１１０は、第２アイコンおよび第３アイコンのうちの先に格納された方を有効な特別アイコンとすることを禁止してよい。
【００４３】
通信接続確立部１２２は、携帯端末２００と通信接続を確立する。通信接続確立部１２２は、任意の通信方式に従って携帯端末２００と通信接続を確立してよい。例えば、通信接続確立部１２２は、携帯端末２００とＢＬＥ通信接続を確立する。また、通信接続確立部１２２は、携帯端末２００とＢｌｕｅｔｏｏｔｈ（登録商標）通信接続を確立してもよい。また、通信接続確立部１２２は、Ｗｉ−Ｆｉ（登録商標）アクセスポイントを介して、携帯端末２００と通信接続を確立してもよい。
【００４４】
通信部１３０は、通信接続確立部１２２によって確立された通信接続を介して携帯端末２００と通信する。通信部１３０は、携帯端末識別情報受信部１３２、アプリ識別情報受信部１３４、アプリ識別情報送信部１３８、アイコン受信部１４０、アイコン送信部１４２および対応付け情報受信部１４４を含む。
【００４５】
携帯端末識別情報受信部１３２は、携帯端末２００から携帯端末識別情報を受信する。携帯端末識別情報受信部１３２は、例えば、通信接続確立部１２２が携帯端末２００との間でＢＬＥ通信接続またはＢｌｕｅｔｏｏｔｈ（登録商標）通信接続を確立するときに携帯端末２００から受信したペアリング情報を通信接続確立部１２２から受信する。また、携帯端末識別情報受信部１３２は、例えば、通信接続確立部１２２が携帯端末２００との間で他の通信方式に従って通信接続を確立するときに携帯端末２００から受信した携帯端末識別情報を通信接続確立部１２２から受信する。また、携帯端末識別情報受信部１３２は、例えば、携帯端末２００においてイベントが発生したときに、携帯端末２００がイベントに対応するアプリ識別情報に加えて携帯端末識別情報を送信する場合には、当該携帯端末識別情報を受信してもよい。
【００４６】
アプリ識別情報受信部１３４は、携帯端末２００からアプリ識別情報を受信する。アプリ識別情報受信部１３４は、携帯端末２００において通知イベントが発生しているときに携帯端末２００が送信した、発生したイベントに対応するアプリ識別情報を受信してよい。
【００４７】
アプリ識別情報格納部１３６は、アプリ識別情報受信部１３４が受信したアプリ識別情報を格納する。アプリ識別情報格納部１３６は、アプリ識別情報受信部１３４が受信したアプリ識別情報と、当該アプリ識別情報を送信した携帯端末２００の携帯端末識別情報とを対応付けて格納してよい。アプリ識別情報送信部１３８は、携帯端末２００からの要求に応じて、当該携帯端末２００の携帯端末識別情報に対応付けてアプリ識別情報格納部１３６に格納されているアプリ識別情報を携帯端末２００に送信する。アプリ識別情報送信部１３８は、携帯端末２００にインストールされている、特定のアプリケーションからの要求に応じて、当該携帯端末２００の携帯端末識別情報に対応付けてアプリ識別情報格納部１３６に格納されているアプリ識別情報を携帯端末２００に送信してよい。例えば、アプリ識別情報送信部１３８は、携帯端末２００にインストールされている、アプリ識別情報とアイコンとを対応付ける対応付けアプリケーションからの要求に応じて、当該携帯端末２００の携帯端末識別情報に対応付けてアプリ識別情報格納部１３６に格納されているアプリ識別情報を携帯端末２００に送信してする。
【００４８】
アイコン受信部１４０は、アイコンを受信する。アイコン受信部１４０は、例えば、携帯端末２００から特別アイコンを受信する。例えば、新たな特別アイコンの購入手続きが完了した後、携帯端末２００は、新たな特別アイコンを表示装置１００に対して送信する。また、アイコン受信部１４０は、携帯端末２００によってストアサーバ３０との間でアイコンの購入手続きが完了した後、クラウドサーバ４０から特別アイコンを受信してもよい。
【００４９】
アイコン送信部１４２は、アイコン格納部１１０に格納されているアイコンを携帯端末２００に送信する。アイコン送信部１４２は、例えば、第１アイコン格納部１１２に格納されている標準アイコンを携帯端末２００に送信する。また、アイコン送信部１４２は、例えば、アイコン受信部１４０がクラウドサーバ４０から受信した特別アイコンを、携帯端末２００に送信する。
【００５０】
対応付け情報受信部１４４は、対応付け情報を受信する。対応付け情報受信部１４４は、携帯端末２００から対応付け情報を受信してよい。対応付け情報格納部１４６は、対応付け情報受信部１４４が受信した対応付け情報を格納する。対応付け情報格納部１４６は、対応付け情報受信部１４４が携帯端末２００から受信した対応付け情報を、当該携帯端末２００の携帯端末識別情報に関連付けて格納してよい。
【００５１】
出力制御部１５０は、通知データを出力する。出力制御部１５０は、例えば、アイコンデータを出力制御部１５０に表示させる。出力制御部１５０は、アイコンデータに音データが含まれる場合、当該音データを音声出力部１６２に音声出力させる。
【００５２】
出力制御部１５０は、アプリ識別情報受信部１３４がアプリ識別情報を受信した場合に、携帯端末識別情報受信部１３２が受信した携帯端末識別情報が関連付けられた対応付け情報が対応付け情報格納部１４６に格納されていない場合、および、対応付け情報は格納されているが、受信したアプリ識別情報とアイコンとの対応付けがない場合、標準アイコンを表示させる。出力制御部１５０は、第１アイコン格納部１１２に格納されている複数の標準アイコンのうち、予め設定された一の標準アイコンを表示させてよい。また、出力制御部１５０は、第１アイコン格納部１１２に格納されている複数の標準アイコンのうちの一の標準アイコンをランダムに表示させてもよい。
【００５３】
出力制御部１５０は、アプリ識別情報受信部１３４がアプリ識別情報を受信し、携帯端末識別情報受信部１３２が受信した携帯端末識別情報が関連付けられた対応付け情報が対応付け情報格納部１４６に格納されており、受信したアプリ識別情報と特別アイコンが対応付けられている場合、当該特別アイコンを表示させる。また、出力制御部１５０は、受信したアプリ識別情報に特別アイコンが対応付けられておらず、標準アイコンが対応付けられていた場合、標準アイコンを表示させる。
【００５４】
動作データ格納部１５２は、アイコンを表示部１６０にどのように表示させるかを示す動作データを格納する。動作データは、任意の動きを示してよい。例えば、動作データは、フェードイン、スライドイン、フロートイン、スプリット、およびワイプなどの動きを示す。動作データ格納部１５２は、複数の特別アイコンのそれぞれに対する動作データを格納してよい。また、動作データ格納部１５２は、複数の標準アイコンのそれぞれに対する動作データを格納してよい。出力制御部１５０は、表示部１６０に表示させるアイコンに対応する動作データが動作データ格納部１５２に格納されている場合、当該動作データに従って当該アイコンを表示させてよい。
【００５５】
アイコン書換部１５４は、アイコン格納部１１０に格納されている特別アイコンを書き換える。アイコン書換部１５４は、例えば、第２アイコン格納部１１４に複数の第２アイコンが格納されており、かつ、第３アイコン格納部１１６に複数の第３アイコンが格納されている状態で、アイコン受信部１４０が新たな複数の特別アイコンを受信する場合、複数の第２アイコンおよび複数の第３アイコンのうちの先に格納されたアイコンを、新たに受信した複数の特別アイコンに書き換える。
【００５６】
図５は、表示装置１００の実装例であるモニタ３００の構成を概略的に示す。モニタ３００は、ＭＰＵ（Ｍｉｃｒｏ  Ｐｒｏｃｅｓｓｉｎｇ  Ｕｎｉｔ）３０２、ＢＬＥユニット３０４、ＭＰＵ−ＲＡＭ（Ｒａｎｄｏｍ  Ａｃｃｅｓｓ  Ｍｅｍｏｒｙ）３０６、ＭＰＵ−ＳＰＩ（Ｓｅｒｉａｌ  Ｐｅｒｉｐｈｅｒａｌ  Ｉｎｔｅｒｆａｃｅ）３０８、ＦＰＧＡ（Ｆｉｅｌｄ  Ｐｒｏｇｒａｍｍａｂｌｅ  Ｇａｔｅ  Ａｒｒａｙ）３１０、ＦＰＧＡ−ＳＰＩ３１２、表示ユニット３２０、および音声出力ユニット３２２を備える。
【００５７】
ＭＰＵ３０２は、モニタ３００全体の動きを制御する。ＢＬＥユニット３０４は、ＢＬＥ通信を制御する。ＢＬＥユニット３０４は、通信接続確立部１２２および通信部１３０の一例であってよい。
【００５８】
ＭＰＵ−ＲＡＭ３０６は、ＢＬＥユニット３０４が携帯端末２００から受信したアプリ識別情報を格納する。ＭＰＵ−ＳＰＩ３０８は、対応付け情報格納部１４６の一例であってよい。
【００５９】
ＦＰＧＡ３１０は、出力制御部１５０の一例であってよい。ＦＰＧＡ−ＳＰＩ３１２は、アイコン格納部１１０の一例であってよい。ＦＰＧＡ−ＳＰＩ３１２は、複数のアイコンのそれぞれに、アイコンを識別するアイコン識別情報を対応付けて格納してよい。表示ユニット３２０は、表示部１６０の一例であってよい。音声出力ユニット３２２は、音声出力部１６２の一例であってよい。
【００６０】
ＭＰＵ３０２は、ＢＬＥユニット３０４が携帯端末２００からアプリ識別情報を受信したことに応じて、携帯端末２００の携帯端末識別情報と対応付けてアプリ識別情報をＭＰＵ−ＲＡＭ３０６に格納する。そして、ＭＰＵ３０２は、携帯端末２００の携帯端末識別情報が関連付けられた対応付け情報がＭＰＵ−ＳＰＩ３０８に格納されているか否かを判定する。ＭＰＵ３０２は、対応付け情報が格納されており、かつ、アプリ識別情報に特別アイコンが対応付けられている場合、当該特別アイコンのアイコン識別情報をＭＰＵ−ＳＰＩ３０８から読み出す。
【００６１】
また、ＭＰＵ３０２は、対応付け情報が格納されており、アプリ識別情報に特別アイコンが対応付けられておらず、標準アイコンが対応付けられている場合、当該標準アイコンのアイコン識別情報をＭＰＵ−ＳＰＩ３０８から読み出す。また、ＭＰＵ３０２は、対応付け情報が格納されており、アプリ識別情報に特別アイコンも標準アイコンも対応付けられていない場合、かつ、対応付け情報が格納されていない場合、予め定められた標準アイコンのアイコン識別情報をＭＰＵ−ＳＰＩ３０８から読み出す。そして、ＭＰＵ３０２は、読み出したアイコン識別情報をＦＰＧＡ３１０に送信する。
【００６２】
ＦＰＧＡ３１０は、ＭＰＵ３０２から受信したアイコン識別情報に対応するアイコンをＦＰＧＡ−ＳＰＩ３１２から読み出す。そして、ＦＰＧＡ３１０は、読み出したアイコンを表示ユニット３２０に表示させる。また、ＦＰＧＡ３１０は、読み出したアイコンに音データが含まれる場合、当該音データを音声出力ユニット３２２に出力させる。
【００６３】
図６は、表示装置１００による処理の流れの一例を概略的に示す。図６に示す処理は、表示装置１００と携帯端末２００とのＢＬＥ通信接続が確立している状態を開始状態として説明する。図６に示す各処理は、表示装置１００が備える制御部が主体となって実行される。
【００６４】
Ｓ４０２では、アプリ識別情報受信部１３４が、携帯端末２００からアプリ識別情報を受信したか否かを判定する。受信した場合、Ｓ４０４に進み、受信していない場合、Ｓ４１８に進む。
【００６５】
Ｓ４０４では、対応付け情報格納部１４６に、携帯端末２００とのＢＬＥ通信接続のペアリング情報が関連付けられた対応付け情報が格納されているか否かを判定する。格納されていると判定した場合、Ｓ４０６に進み、格納されていないと判定した場合、Ｓ４１４に進む。
【００６６】
Ｓ４０６では、対応付け情報格納部１４６に格納されている対応付け情報を参照して、Ｓ４０２で受信したと判定されたアプリ識別情報とアイコンとの対応付けがあるか否かを判定する。対応付けがあると判定された場合、Ｓ４０８に進み、対応付けがないと判定された場合、Ｓ４１４に進む。
【００６７】
Ｓ４０８では、アプリ識別情報を特別アイコンとの対応付けがあるか否かを判定する。対応付けが有ると判定された場合、Ｓ４１０に進み、対応付けがないと判定された場合、Ｓ４１２に進む。
【００６８】
Ｓ４１０では、出力制御部１５０が、アプリ識別情報に対応する特別アイコンを表示部１６０に表示させる。Ｓ４１２では、出力制御部１５０が、アプリ識別情報に対応する標準アイコンを表示部１６０に表示させる。
【００６９】
Ｓ４１４では、アプリ識別情報格納部１３６が、Ｓ４０２で受信したと判定されたアプリ識別情報と、ペアリング情報とを対応付けて格納する。Ｓ４１６では、出力制御部１５０が、予め設定された標準アイコンを表示部１６０に表示させる。
【００７０】
Ｓ４１８では、携帯端末２００から、アプリ識別情報要求を受信したか否かを判定する。受信したと判定した場合、Ｓ４２０に進み、受信していないと判定した場合、Ｓ４２２に進む。Ｓ４２０では、アプリ識別情報送信部１３８が、ペアリング情報に対応付けてアプリ識別情報格納部１３６に格納されているアプリ識別情報を、アプリ識別情報要求を送信した携帯端末２００に送信する。
【００７１】
Ｓ４２２では、処理の終了指示を受領したか否かを判定する。受領していないと判定した場合、Ｓ４０２に戻り、受領したと判定した場合、処理を終了する。
【００７２】
図７は、携帯端末２００の機能構成の一例を概略的に示す。携帯端末２００は、要求送信部２１２、識別情報受信部２１４、識別情報格納部２１６、アイコン受信部２２２、アイコン格納部２２４、アイコン送信部２２６、表示制御部２３０、指示受付部２３２、対応付け情報生成部２３４、および対応付け情報送信部２３６を備える。
【００７３】
要求送信部２１２は、アプリ識別情報要求を表示装置１００に送信する。要求送信部２１２は、アプリ識別情報とアイコンとを対応付ける対応付けアプリケーションからの要求に応じて、アプリ識別情報要求を表示装置１００に送信してよい。
【００７４】
識別情報受信部２１４は、要求送信部２１２が送信したアプリ識別情報要求に応じて、表示装置１００が送信したアプリ識別情報を受信する。識別情報受信部２１４は、携帯端末２００が表示装置１００に送信した、携帯端末２００にインストールされているアプリケーションのアプリ識別情報を、表示装置１００から受信してよい。識別情報格納部２１６は、識別情報受信部２１４が受信したアプリ識別情報を格納する。
【００７５】
アイコン受信部２２２は、アイコンを受信する。アイコン受信部２２２は、クラウドサーバ４０からアイコンを受信してよい。また、アイコン受信部２２２は、表示装置１００からアイコンを受信してよい。アイコン格納部２２４は、アイコン受信部２２２が受信したアイコンを格納する。アイコン送信部２２６は、アイコン受信部２２２がクラウドサーバ４０から受信したアイコンを、表示装置１００に送信する。
【００７６】
表示制御部２３０は、識別情報格納部２１６に格納されているアプリ識別情報と、アイコン格納部２２４に格納されているアイコンとをディスプレイ２０２に表示させる。ディスプレイ２０２は、タッチパネルディスプレイであってよい。
【００７７】
指示受付部２３２は、表示制御部２３０によって表示されたアプリ識別情報およびアイコンに対する指示を受け付ける。指示受付部２３２は、アプリ識別情報とアイコンとを対応付ける指示を受け付けてよい。指示受付部２３２は、タッチ入力等の座標入力手段によって、アプリ識別情報とアイコンとを対応付ける指示を受け付けてよい。
【００７８】
対応付け情報生成部２３４は、指示受付部２３２が受け付けた指示に従って、アプリ識別情報とアイコンとを対応付ける対応付け情報を生成する。対応付け情報送信部２３６は、対応付け情報生成部２３４が生成した対応付け情報を表示装置１００に送信する。
【００７９】
上記実施形態では、通知データの一例としてアイコンを用いる場合を主に説明したが、これに限らない。通知データは、画像、テキスト、および音の少なくともいずれかであってよい。通知データが画像またはテキストである場合、出力制御部１５０は通知データを表示部１６０に表示させる。通知データが音である場合、出力制御部１５０は通知データを音声出力部１６２に音声出力させる。
【００８０】
また、上記実施形態では、識別情報管理装置として、表示装置１００および表示制御装置１０２を例に挙げて説明したが、これに限らない。識別情報管理装置は、携帯端末２００からアプリ識別情報を受信して格納し、格納しているアプリ識別情報を携帯端末２００に送信できる装置であればどのような装置であってもよい。
【００８１】
また、上記実施形態では、通信機器として、携帯端末２００を例に挙げて説明したが、これに限らず、アプリケーションをインストール可能で、通信機能を有する機器であれば、携帯端末２００以外の機器であってもよい。
【００８２】
以上の説明において、表示制御装置１０２の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが表示制御装置１０２として機能してもよい。プログラムは、コンピュータ読み取り可能な媒体またはネットワークに接続された記憶装置から、表示制御装置１０２の少なくとも一部を構成するコンピュータにインストールされてよい。コンピュータにインストールされ、コンピュータを本実施形態に係る表示制御装置１０２として機能させるプログラムは、ＭＰＵ等に働きかけて、コンピュータを表示制御装置１０２の各部としてそれぞれ機能させる。これらのプログラムに記述された情報処理は、コンピュータに読込まれることにより、ソフトウエアと表示制御装置１０２のハードウエア資源とが協働した具体的手段として機能する。
【００８３】
また、以上の説明において、携帯端末２００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが携帯端末２００として機能してもよい。プログラムは、コンピュータ読み取り可能な媒体またはネットワークに接続された記憶装置から、携帯端末２００の少なくとも一部を構成するコンピュータにインストールされてよい。コンピュータにインストールされ、コンピュータを本実施形態に係る携帯端末２００として機能させるプログラムは、ＭＰＵ等に働きかけて、コンピュータを携帯端末２００の各部としてそれぞれ機能させる。これらのプログラムに記述された情報処理は、コンピュータに読込まれることにより、ソフトウエアと携帯端末２００のハードウエア資源とが協働した具体的手段として機能する。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００８５】
請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、および図面中の動作フローに関して、便宜上「まず、」、「次に、」などを用いて説明したとしても、この順で実施することが必須であることを意味するものではない。
【符号の説明】
【００８６】
１０  システム、２０  ネットワーク、３０  ストアサーバ、４０  クラウドサーバ、５０  無線基地局、１００  表示装置、１０２  表示制御装置、１１０  アイコン格納部、１１２  第１アイコン格納部、１１４  第２アイコン格納部、１１６  第３アイコン格納部、１２２  通信接続確立部、１３０  通信部、１３２  携帯端末識別情報受信部、１３４  アプリ識別情報受信部、１３６  アプリ識別情報格納部、１３８  アプリ識別情報送信部、１４０  アイコン受信部、１４２  アイコン送信部、１４４  対応付け情報受信部、１４６  対応付け情報格納部、１５０  出力制御部、１５２  動作データ格納部、１５４  アイコン書換部、１６０  表示部、１６２  音声出力部、１８０  アイコン、２００  携帯端末、２０２  ディスプレイ、２０４  アプリ識別情報、２０６  アイコン、２０８  一覧、２１２  要求送信部、２１４  識別情報受信部、２１６  識別情報格納部、２２２  アイコン受信部、２２４  アイコン格納部、２２６  アイコン送信部、２３０  表示制御部、２３２  指示受付部、２３４  対応付け情報生成部、２３６  対応付け情報送信部、３００  モニタ、３０２  ＭＰＵ、３０４  ＢＬＥユニット、３０６  ＭＰＵ−ＲＡＭ、３０８  ＭＰＵ−ＳＰＩ、３１０  ＦＰＧＡ、３１２  ＦＰＧＡ−ＳＰＩ、３２０  表示ユニット、３２２  音声出力ユニット
【図１】
2017085818.tif 000003
【図２】
2017085818.tif 000004
【図３】
2017085818.tif 000005
【図４】
2017085818.tif 000006
【図５】
2017085818.tif 000007
【図６】
2017085818.tif 000008
【図７】
2017085818.tif 000009
【国際調査報告】
2017085818.tif 000010
2017085818.tif 000011
2017085818.tif 000012
2017085818.tif 000013